(57)【要約】      （修正有）【課題】股関節を容易に柔軟にできる健康椅子を提供する。【解決手段】健康椅子１０は、使用者が座るための着座部２０と、使用者が背をもたれるための背凭れ部３０と、使用者が頭をもたれるためのヘッドレスト部３２とを備えている。また、健康椅子１０には、使用者が脚を乗せる一対の脚置き部４０，５０が備えられている。着座部２０や一対の脚置き部４０，５０は、矩形の基台１４の上に載置されている。着座部２０は、直方体状のものであり、その内部に組み込まれた周知のエアーシリンダ２０ａを駆動させることにより上下動する。上に移動したときの最高高さは基台１４から約５０ｃｍであり、最低高さは基台１４から約３５ｃｍである。なお、ここでいう、高さは、基台１４の上面からの高さをいう。【選択図】図１
2011254947.tif 000002
【特許請求の範囲】
【請求項１】
使用者が座る着座部と、この使用者が脚を乗せる一対の脚置き部と、これら着座部及び一対の脚置き部を同時に上下動させる上下動機構と、前記一対の脚置き部を左右に移動させてその間隔を変える変更機構とを備えたことを特徴とする健康椅子。
【請求項２】
前記着座部は、その前面に、前記一対の脚置部を上下に案内すると共に左右に案内するためのガイド溝が形成されているものであることを特徴とする請求項１に記載の健康椅子。
【請求項３】
前記一対の脚置部は、その後面に、前記ガイド溝に嵌まり込むガイドボールが固定されているものであることを特徴とする請求項２に記載の健康椅子。
【発明の詳細な説明】
【技術分野】
【０００１】
本発明は、股関節を軟らかくするための健康椅子に関する。
【背景技術】
【０００２】
従来、身体を鍛えるために種々の健康器具が販売されているが、股関節を軟らかくする器具は知られていない。股関節を柔軟にすることは健康に良いだけでなく、全てのスポーツに欠かせない。
【発明の概要】
【発明が解決しようとする課題】
【０００３】
股関節を柔軟にする運動としては、股割などの厳しいトレーニングが知られているが、このようなトレーニングを行うことは、一般の人には適さず無理であり、特に高齢者には適さない。
【０００４】
本発明は、上記事情に鑑み、股関節を容易に柔軟にできる健康椅子を提供することを目的とする。
【課題を解決するための手段】
【０００５】
上記目的を達成するための本発明の健康椅子は、
（１）使用者が座る着座部と、
（２）この使用者が脚を乗せる一対の脚置き部と、
（３）これら着座部及び一対の脚置き部を同時に上下動させる上下動機構と、
（４）前記一対の脚置き部を左右に移動させてその間隔を変える変更機構とを備えたことを特徴とするものである。
【０００６】
また、
（５）前記着座部は、その前面に、前記一対の脚置部を上下に案内すると共に左右に案内するためのガイド溝が形成されているものであってもよい。
【０００７】
さらに、
（６）前記一対の脚置部は、その後面に、前記ガイド溝に嵌まり込むガイドボールが固定されているものであってもよい。
【発明の効果】
【０００８】
本発明によれば、身長に合わせて椅子の高さを調整でき、さらに、股関節の柔軟さに合わせて脚置台の幅を変えられるので、どのような人であっても、簡単に股関節を柔軟にするトレーニングができる。
【図面の簡単な説明】
【０００９】
【図１】（ａ）は、本発明の健康椅子の一実施例を正面から見た正面図であり、（ｂ）は、ガイド溝とガイドボールを横から見た透視図であり、（ｃ）は、ガイド溝を説明するための説明図である。
【図２】図１（ａ）の状態の健康椅子に人が座っている様子を示す正面図である。
【図３】一対の脚置き部の幅が最小の幅（約２０ｃｍ）のときの健康椅子を示す正面図である。
【図４】図３の状態の健康椅子に人が座っている様子を示す正面図である。
【図５】一対の脚置き部の幅が最大の幅（約５０ｃｍ）のときの健康椅子を示す正面図である。
【図６】図５の状態の健康椅子に人が座っている様子を示す正面図である。
【図７】一対の脚置き部の幅を固定しておくための固定具を示す拡大図であり、（ａ）は、一対の脚置き部がほぼ中間の位置に位置するときの固定具の状態を示し、（ｂ）は、一対の脚置き部の幅が最も狭い位置に位置するときの固定具の状態を示し、（ｃ）は、一対の脚置き部が最も広い位置に位置するときの固定具の状態を示す。
【発明を実施するための形態】
【００１０】
本発明は、幅を変化できる椅子に実現された。
【実施例１】
【００１１】
図１と図２を参照して、本発明の健康椅子の概略構造を説明する。
【００１２】
図１（ａ）は、本発明の健康椅子の一実施例を正面から見た正面図であり、（ｂ）は、ガイド溝とガイドボールを横から見た透視図であり、（ｃ）は、ガイド溝を説明するための説明図である。図２は、図１（ａ）の状態の健康椅子に人が座っている様子を示す正面図である。
【００１３】
健康椅子１０は、使用者１２が座るための着座部２０と、使用者１２が背をもたれるための背凭れ部３０と、使用者１２が頭をもたれるためのヘッドレスト部３２とを備えている。また、健康椅子１０には、使用者１２が脚１２ａを乗せる一対の脚置き部４０，５０が備えられている。着座部２０や一対の脚置き部４０，５０は、矩形の基台１４の上に載置されている。
【００１４】
着座部２０は、直方体状のものであり、その内部に組み込まれた周知のエアーシリンダ２０ａを駆動させることにより上下動する。上に移動したときの最高高さは基台１４から約５０ｃｍであり、最低高さは基台１４から約３５ｃｍである。エアーシリンダ２０ａは、着座部２０の側面に配置されたスイッチ（図示せず）をオンにすることにより駆動して着座部２０を徐々に上昇させ、使用者１２が着座部２０に座った状態で上記のスイッチをオンにすることにより着座部２０は使用者の体重によって徐々に下降する。なお、ここでいう、高さは、基台１４の上面からの高さをいう。
【００１５】
一対の脚置き部４０，５０も、直方体状のものであり、その内部には周知のエアーシリンダ４０ａ，５０ａが組み込まれており、これらを駆動させることにより上下動する。この駆動は、エアーシリンダ２０ａの駆動に連動するように構成されており、着座部２０の上面２０ｂと一対の脚置き部４０，５０の上面４０ｂ，５０ｂとは常に同一面に位置するようになっている（構成されている）。
【００１６】
また、着座部２０の前面（一対の脚置き部４０，５０に向き合う面）には、図１に示すようにガイド溝２２が形成されている。このガイド溝２２は、一対の脚置き部４０，５０が上下動する際にこれらを上下に案内する機能と、これらが左右に移動する際にこれらを左右に案内する機能を有する。即ち、一対の脚置き部４０，５０は、互いの間隔を変えることにより、その幅を狭めたり広げたりすることができる。図１及び図２に示す例は、一対の脚置き部４０，５０の幅が中間の幅であり、図３及び図４に示す例は、一対の脚置き部４０，５０の幅が最小の幅（約２０ｃｍ）であり、図５及び図６に示す例は、一対の脚置き部４０，５０の幅が最大の幅（約５０ｃｍ）である。
【００１７】
図１（ｃ）を参照して、ガイド溝２２について説明する。
【００１８】
ガイド溝２２は、上記したように着座部２０の前面（前側の側面壁）に形成されており、縦に延びる縦ガイド溝２２ａと、横（左右）に延びる横ガイド溝２２ｂとから構成されている。縦ガイド溝２２ａは一対の脚置き部４０，５０をそれぞれ上下方向（矢印Ａ方向）に案内するものであり、横ガイド溝２２ｂは一対の脚置き部４０，５０をそれぞれ左右方向（矢印Ｂ方向）に案内するものである。
【００１９】
また、一対の脚置き部４０，５０の後面（後ろ側の側面壁であり、着座部２０の前面に対向する面）には、図１（ｂ）に示すように、ガイド溝２２に嵌まり込むガイドボール４０ｃが固定されている。ここでは、脚置き部４０のガイドボール４０ｃ（４０ｃ１〜４０ｃ３）のみを示すが、脚置き部５０にも同じ物が固定されている。３つのガイドボール４０ｃ１〜４０ｃ３の間隔は、横ガイド溝２２ｂの間隔と等しい。また、一番高い位置にあるガイドボール４０ｃ１が、一番高い位置に形成された横ガイド溝２２ｂに嵌まり込んだときが、脚置き部４０の最上位置であり、一番低い位置にあるガイドボール４０ｃ３が、一番低い位置に形成された横ガイド溝２２ｂに嵌まり込んだときが、脚置き部４０の最低位置である。脚置き部５０についても同様である。
【００２０】
図１と図７を参照して、一対の脚置き部４０，５０の幅を変えて固定しておく構造を説明する。
【００２１】
図７は、一対の脚置き部の幅を固定しておくための固定具を示す拡大図であり、（ａ）は、一対の脚置き部４０，５０がほぼ中間の位置に位置するときの固定具の状態を示し、（ｂ）は、一対の脚置き部４０，５０の幅が最も狭い位置に位置するときの固定具の状態を示し、（ｃ）は、一対の脚置き部４０，５０が最も広い位置に位置するときの固定具の状態を示す。
【００２２】
固定具６０は、円筒状の大径筒６２と、円筒状の小径筒６４とから構成されている。大径筒６２と小径筒６４には、周壁に貫通孔６２ａ，６４ａが形成されており、２つの貫通孔６２ａ，６４ａが重なった位置でこれらの貫通孔にボルトやピンなどを挿し込むことにより、大径筒６２と小径筒６４とが矢印Ｂ方向に移動しないように固定され、これにより、一対の脚置き部４０，５０の幅が固定されることとなる。小径筒６４の外径は、大径筒６２の内部に入り込む程度のものであり、小径筒６４が大径筒６２の中に入り込む量（長さ）に応じて一対の脚置き部４０，５０の幅が変わる。大径筒６２の右端部は脚置き部５０に強く固定されており、小径筒６４の左端部は脚置き部４０に強く固定されている。なお、小径筒６４と大径筒６２の配置を逆にしてもよく、この場合も、本発明の範囲に含まれる。
【００２３】
着座部２０と一対の脚置き部４０，５０の高さと幅を変えるに際しては、図４に示すように、一対の脚置き部４０，５０を接触させた状態で着座部２０に座った使用者１２がエアーシリンダ２０ａのスイッチ（図示せず）をオンにして着座部２０を徐々に上昇させてその使用者１２の身長に合った適宜の位置でスイッチをオフにする。これにより、図４に示すように、使用者１２が座っている着座部２０の高さと一対の脚置き部４０，５０の高さとがほぼ同一平面上となる。続いて、股関節をストレッチするために、一対の脚置き部４０，５０を互いに離す。この場合、３つのガイドボール４０ｃ１〜４０ｃ３が横ガイド溝２２ｂに嵌まり込む位置に対応していれば、一対の脚置き部４０，５０を互いに離す方向に移動させるだけで、一対の脚置き部４０，５０はそれぞれ円滑に容易に矢印Ｂ方向に移動するが、３つのガイドボール４０ｃ１〜４０ｃ３が横ガイド溝２２ｂに嵌まり込む位置に対応していなければ、横ガイド溝２２ｂの入口に３つのガイドボール４０ｃ１〜４０ｃ３が接触するので、３つのガイドボール４０ｃ１〜４０ｃ３が横ガイド溝２２ｂに円滑に容易に嵌まり込まない。このような場合は、使用者がエアーシリンダ２０ａのスイッチ（図示せず）を少しの時間だけオンにして一対の脚置き部４０，５０を移動させることにより３つのガイドボール４０ｃ１〜４０ｃ３の位置を適宜に変えて、３つのガイドボール４０ｃ１〜４０ｃ３を横ガイド溝２２ｂに嵌まり込む位置に移動させる。これにより、一対の脚置き部４０，５０はそれぞれ円滑に容易に矢印Ｂ方向に移動するので、一対の脚置き部４０，５０の間隔を適宜に変えられる。
【００２４】
上記のようにして、一対の脚置き部４０，５０をほぼ中間の位置に位置させたときの状態を示した図が図２と図７（a）であり、一対の脚置き部４０，５０を最も広い位置に位置させたときの状態を示した図が図６と図７（ｃ）である。このようにして、使用者の身長と股関節の柔らかさに応じて着座部２０の高さと一対の脚置き部４０，５０の高さとを適宜に変更させると共に一対の脚置き部４０，５０の間隔を適宜に変えることにより一般の人であっても、また、高齢者であっても股関節を容易に柔軟にできる。
【産業上の利用可能性】
【００２５】
身長に合わせて椅子の高さを調整でき、さらに、股関節の柔軟さに合わせて脚置台の幅を変えられるので、どのような人であっても、簡単に股関節を柔軟にするトレーニングができる健康椅子を提供できる。
【符号の説明】
【００２６】
１０  健康椅子
１２  使用者
１４  基台
２０  着座部
２０ａ，４０ａ，５０ａ  エアーシリンダ
２２  ガイド溝
３０  背凭れ部
３２  ヘッドレスト部
４０，５０  一対の脚置き部
６０  固定具
６２  大径筒
６４小径筒
【図１】
2011254947.tif 000003
【図２】
2011254947.tif 000004
【図３】
2011254947.tif 000005
【図４】
2011254947.tif 000006
【図５】
2011254947.tif 000007
【図６】
2011254947.tif 000008
【図７】
2011254947.tif 000009